(57)【要約】【課題】人が乗ったまま、または、荷物が乗ったまま、運搬する運搬装置を、エスカレータに乗せることができる運搬装置とその使用方法を提供すること。【解決手段】左右にある２つの前輪と、左右にある２つの後輪と、上記２つの前輪と上記２つの後輪の４つの車軸上に乗る中部と、上記４つ車軸と連結され、上記中部を支える左右２つの保持部と、を有し、一方の前輪と後輪とは、他方の前輪と後輪に対して、その位置が変更可能な運搬装置を用いる。【選択図】図１
2020006118.tif 000002
【特許請求の範囲】
【請求項１】
左右にある２つの前輪と、
左右にある２つの後輪と、
前記２つの前輪と前記２つの後輪の４つの車軸の上に乗る中部と、
一方の前記前輪の車軸と一方の前記後輪の車軸とが連結され、前記中部を支える一方の保持部と、
他方の前記前輪の車軸と他方の前記後輪の車軸とが連結され、前記中部を支える他方の保持部と、
を有し、
前記一方の前輪と前記一方の後輪とは、前記他方の前輪と前記他方の後輪に対して、その位置が変更可能な運搬装置。
【請求項２】
前記一方の保持部と前記他方の保持部とを連結する第１連結棒と、を含む請求項１記載の運搬装置。
【請求項３】
前記左右にある２つの後輪を連結する第２連結棒と、を含む請求項１または２記載の運搬装置。
【請求項４】
前記左右２つの保持部を連結する第１連結棒と、
前記左右にある２つの前記車軸を連結する第２連結棒と、
前記第１連結棒と前記第２連結棒とを連結する第３連結棒と、がある請求項１記載の運搬装置。
【請求項５】
前記第１連結棒と前記第２連結棒と第３連結棒の少なくとも１つと連結され、
前記中部を支える第４連結棒がある請求項４記載の運搬装置。
【請求項６】
前記運搬装置には、車椅子、または、荷物搬送具が含まれる請求項１〜５のいずれか１項に記載の運搬装置。
【請求項７】
車椅子が、エスカレータの入口近傍に進む第１工程と、
前記車椅子が、前記エスカレータの入口へ進む第２工程と、
前記車椅子が、前記エスカレータへの侵入とともに徐々に変形する第１変形工程と、
前記車椅子が、前記エスカレータの出口へ進む第３工程と、
前記車椅子が、前記エスカレータの出口から外へ出るとともに徐々に変形する第２変形工程と、
前記車椅子が、前記エスカレータの出口から離れる第４工程と、を含む運搬装置の使用方法。
【発明の詳細な説明】
【技術分野】
【０００１】  本発明は、運搬装置とその使用方法に関する。特に、エスカレータに乗せることが可能な運搬装置とその使用方法に関する。
【背景技術】
【０００２】  現在、体の不自由な方向けに車椅子が改善されつつある。例えば、航空で金属探知機を通過する際に、まず、車椅子は、人が乗ったまま、非金属性の本体部と、金属製の補助部とに分かれる。
次に、人が乗ったまま、非金属性の本体部の車椅子が、金属探知機を通過できる。通過後に、再度、人が乗ったまま、非金属性の本体部と、金属製の補助部とが合体する。つまり、人が車椅子から降りることなく金属探知機を通過できる（特許文献１）。
【先行技術文献】
【特許文献】
【０００３】
【特許文献１】国際公開第２０１６／０８８７５４号
【発明の概要】
【発明が解決しようとする課題】
【０００４】  しかしながら、従来、人が乗ったまま、または、荷物が乗ったまま、運搬する運搬装置を、エスカレータに乗せるものはなかった。
よって、本願課題は、人が乗ったまま、または、荷物が乗ったまま、運搬する運搬装置を、エスカレータに乗せることができる運搬装置とその使用方法である。なお、運搬装置には、人を乗せる車椅子が含まれる。
【課題を解決するための手段】
【０００５】  上記課題を解決するために、左右にある２つの前輪と、左右にある２つの後輪と、上記２つの前輪と上記２つの後輪の４つの車軸上に乗る中部と、上記４つ車軸と連結され、上記中部を支える左右２つの保持部と、を有し、一方の前輪と後輪とは、他方の前輪と後輪に対して、その位置が変更可能な運搬装置を用いる。【０００６】  また、車椅子が、エスカレータの入口近傍に進む第１工程と、上記車椅子が、上記エスカレータの入口へ進む第２工程と、上記車椅子が、上記エスカレータへの侵入とともに変形する第１変形工程と、上記車椅子が、上記エスカレータの出口へ進む第３工程と、上記車椅子が、上記エスカレータの出口から外へ出るとともに変形する第２変形工程と、上記車椅子が、上記エスカレータの出口から離れる第４工程と、を含む運搬装置の使用方法を用いる。
【発明の効果】
【０００７】  本発明の運搬装置とその使用方法によれば、人が運搬装置に乗ったまま、荷物が運搬装置に乗ったまま、エスカレータに、運搬装置ごと乗せることができる。
【図面の簡単な説明】
【０００８】
【図１】（ａ）実施の形態１の車椅子１００の背面図、（ｂ）車椅子１００の正面図、（ｃ）車椅子１００の側面図、（ｄ）車椅子１００が、エスカレータに乗っている時の背面図
【図２】（ａ）実施の形態１の保持部１９の中部１１側の側面図、（ｂ）実施の形態１の中部１１の保持部１９側の側面図
【図３】（ａ）実施の形態１の前輪１４の正面図、（ｂ）実施の形態１の前輪１４の側面図
【図４】実施の形態１の車椅子１００がエスカレータ１０１に乗る場合の移動を説明する平面図
【図５】（ａ）実施の形態２の車椅子２００の背面図、（ｂ）実施の形態２の車椅子２００の正面図、（ｃ）実施の形態２の車椅子２００の側面図、（ｄ）実施の形態２の車椅子２００がエスカレータに乗った状態の背面図
【図６】（ａ）〜（ｂ）実施の形態２の第４連結棒３４のパターンを示す斜視図
【図７】（ａ）実施の形態２の保持部１９の中部１１側の側面図、（ｂ）実施の形態２の中部１１の保持部１９側の側面図
【発明を実施するための形態】
【０００９】以下で実施の形態を説明するが、発明の１つの例示であり、これに発明は限定されない。
（実施の形態１）
図１（ａ）に、実施の形態１の車椅子１００の背面図を、図１（ｂ）に、車椅子１００の正面図を、図１（ｃ）に、車椅子１００の側面図を示す。図１（ｄ）は、車椅子１００が、エスカレータに乗っている時の背面図である。
【００１０】＜全体構成＞
車椅子１００は、左右にある２つの前輪１４、左右にある２つの後輪１３、上部１０、中部１１、下部１２と、を有する。
左右の２つの前輪１４と左右の２つの後輪１３は、車椅子１００を安定して移動するためにある。
【００１１】  左右２つの前輪１４の間と、左右２つの後輪１３の間とに、本体の上部１０、中部１１、下部１２とがある。
上部１０は、肩などを保持する部分である。
【００１２】  中部１１は、凹状でお尻、腰を保持する部分である。人を乗せる中心部分である。車椅子でなく、運搬装置なら、荷物を載せるところとなる。運搬装置なら、下部１２、上部１０は不要である。
下部１２は、足を保持する部分である。
前輪１４、後輪１３と、中部１１との間には、前輪１４、後輪１３に付属する４つの車軸部２０があり、その車軸部２０の片側（左側か右側の）２つ上には、１つの保持部１９がある。保持部１９は、左右２つある。
【００１３】  車椅子１００の背面には、第１連結棒３１と第２連結棒３２がある。
第１連結棒３１は、中部１１の背面側にあり、２つの保持部１９を繋ぐ。第２連結棒３２は、下部１２の背面側にあり、２つの車軸部２０を繋ぐ。少なくと、第１連結棒３１か第２連結棒のいずれかがあればよい。
各要素の材質は、金属など強度がある材料で作製されるのが好ましい。
【００１４】  ＜スライド機構＞
図１（ｄ）は、車椅子１００が、エスカレータに載っている状態である。後輪１３が左右で高さが変化する。後輪１３、保持部１９の左右は、第１連結棒３１、第２連結棒３２で連結されている。本体部９は、上下方向（鉛直方向）で上下する。
【００１５】  保持部１９と中部１１と第１連結棒３１との関係を図２（ａ）と図２（ｂ）で説明する。第２連結棒３２と車軸部２０との関係は、第１連結棒３１と保持部１９の関係と同様である。
図２（ａ）は、保持部１９の中部１１側の側面図である。図２（ｂ）は、中部１１の保持部１９側の側面図である。
【００１６】  保持部１９には、垂直方向に長い第１凹部４２ａと、垂直方向に長い第２凹部４２ｂとがある。車軸部２０には、垂直方向に長い第３凹部４２ｃがある。中部１１には、突起部４１がある。
第１凹部４２ａには、突起部４１がはめ込まれ、抜けないようになっている。突起部４１は、第１凹部４２ａ内を垂直方向に移動できる。この移動により、中部１１と保持部１９とがその位置関係を変化できる。図１（ｂ）から図１（ｄ）の状態へ変化する時に、この位置関係の変化を利用する。なお、逆に、第１突起部４２が中部１１に位置し、突起部４１が、保持部１９にあってもよい。
【００１７】  第２凹部４２ｂには、第１連結棒３１の端部の第１連結突起３１ａがはめ込まれ、抜けないようになっている。第２連結突起３２ａと第３凹部４２ｃとの関係、突起部４１と第１凹部４２ａとの関係も同様である。
このスライド機構はあれば好ましい。
【００１８】  ＜前輪１４と後輪１３＞
図３（ａ）の正面図、図３（ｂ）の側面図で、前輪１４と後輪１３とを説明する。
前輪１４と後輪１３とは、機構的には同じなので、前輪１４として両者をまとめて説明する。
【００１９】  前輪１４は、円盤状である。円盤状の車輪に、複数の横移動部５１が、境界部５２を間に挟んで、車輪が周囲に位置する。
車椅子１００が、直進する場合は、横移動部５１は、機能せず、前輪１４、後輪１３が全体として回転する。
【００２０】  一方、車椅子１００が横移動する場合は、前輪１４、後輪１３の横移動部５１が回転する。
また、斜め方向へ移動する場合は、前輪１４、後輪１３、横移動部５１が稼働する。
【００２１】  車椅子１００に乗車する人が、図示していないスチイックなどで進む方向を指示し、図示しない制御部が前輪１４を制御する。この場合、複数のモータ５３ｂが前輪１４に内蔵されている。なお、前輪１４を動かすモータ５３ａはその中心に配置されている。
特徴は、車椅子１００が、前輪１４、後輪１３が回転することなく、横に移動できることである。このことは、以下のエスカレータ１０１へ車椅子１００を乗せる時に有効である。
【００２２】  ＜エスカレータ１０１への乗車＞
図４に、車椅子１００がエスカレータ１０１に乗る場合の動作を説明する。
（１）車椅子１００は、エスカレータ１０１へ近づく。エスカレータ１０１の入口で止まる。この時、車椅子１００の移動してきた方向は、エスカレータ１０１の移動方向と、垂直方向である。
【００２３】  （２）車椅子１００は、エスカレータ１０１へ向かって、進行して来た方向と垂直方向へ進む。この進行は、図３で説明した横移動部５１による。
（３）エスカレータ１０１に車椅子１００の片方の車輪が乗った時点で、図１（ｄ）のように車椅子１００が徐々に歪み始める（第１変形工程）。そして、車椅子１００がエスカレータ１０１に完全に乗ると、図１（ｄ）となる。
【００２４】  （４）車椅子１００が、エスカレータ１０１の終点（出口）に着く場合は、上記（３）の逆で、車椅子１００の歪みが、徐々に解除される（第２変形工程）。終点で、車椅子１００は、横移動してエスカレータ１０１から降りる。
＜実施の形態１の効果＞
車椅子１００は、上記構造により、変形し、また、進行方向が自由に変更できる。このことから、車椅子１００は、エスカレータに乗せることが容易である。
【００２５】  （実施の形態２）
図５（ａ）に、実施の形態２の車椅子２００の背面図を、図５（ｂ）に、車椅子２００の正面図を、図５（ｃ）に、車椅子２００の側面図を示す。図５（ｄ）に、車椅子２００がエスカレータに乗った状態の背面図を示す。説明しない事項は、実施の形態１と同様である。
【００２６】  実施の形態１との差異は、以下である。
（１）第３連結棒３３
実施の形態１の第１連結棒３１と第２連結棒３２との間に第３連結棒３３がある。第１連結棒３１と第２連結棒３２との２本の平行棒の間に、それらと垂直方向の棒がある。全体でＨ型となる。第１連結棒３１と第２連結棒３２と第３連結棒３３とは繋がっており、図５（ｄ）のような変形する。
【００２７】  第３連結棒３３により、第１連結棒３１と第２連結棒３２との動きが規制される。この結果、車椅子２００の変形が安定化される。
（２）第４連結棒３４
第３連結棒３３に第４連結棒３４がある。第４連結棒３４は、第２連結棒３２の接続部３５に、第２連結棒３２に垂直に接合されている。第４連結棒３４は、中部１１を支える。接続部３５は、第２連結棒３２でなくとも、第１連結棒３１または第３連結棒３３にあってもよい。なお、第４連結棒３４がなく、第３連結棒３３が中部１１と接続されていてもよい。
【００２８】  図６（ａ）と図６（ｂ）は、第４連結棒３４のパターンである。
図６（ａ）では、第４連結棒３４は、１本のみであるが、図６（ｂ）では、３本ある。３本の第４連結棒３４で、中部１１を支え方がより安定する。
【００２９】  （３）第１凹部４２ａ、第２凹部４２ｂ
図７（ａ）は、実施の形態２の保持部１９の中部１１側の側面図、図７（ｂ）は、実施の形態２の中部１１の保持部１９側の側面図、図７（ｃ）は、実施の形態２の中部１１の底面図である。
【００３０】  第２凹部４２ｂ、第３凹部４２ｃが、実施の形態１では、長方形の凹部であったが、実施の形態２では、第１連結突起３１ａ、第２連結突起３２ａと同形状である。例えば、突起が球状で、凹部も球状で、凹部内を突起が回転できる機構である。第１連結棒３１と第２連結棒３２とも動作が制限され、安定化される。
（４）第４凹部４２ｄがある。
【００３１】第４凹部４２ｄが、中部１１にある。第４連結棒３４が位置する。第４連結棒３４により中部１１が支えられる。
＜実施の形態２の効果＞
車椅子２００は、上記構造により、変形がより安定する。車椅子２００は、エスカレータに乗せることがより容易である。
【００３２】  （全体として）
実施の形態１と２とは組み合わせができる。
実施の形態１，２とは、車椅子で説明したが、荷物搬送具などへの同様に応用できる。
【００３３】  この場合、中部１１に人でなく荷物が乗る。
【産業上の利用可能性】
【００３４】  本発明の運搬装置とその使用方法は、車椅子、荷物運搬車だけでなく、エスカレータに乗せるものすべてに応用されうる。
【符号の説明】
【００３５】９  本体部、１０  上部、１１  中部、１２  下部、１３  後輪、１４  前輪、１９  保持部、２０  車軸部、３１  第１連結棒、３１ａ  第１連結突起、３２  第２連結棒、３２ａ  第２連結突起、３３  第３連結棒、３４  第４連結棒、３５  接続部、４０  ひじ部、４１  突起部、４２ａ  第１凹部、４２ｂ  第２凹部、４２ｃ  第３凹部、４２ｄ  第４凹部、５１  横移動部、５２  境界部、１００  車椅子、１０１  エスカレータ
【図１】
2020006118.tif 000003
【図２】
2020006118.tif 000004
【図３】
2020006118.tif 000005
【図４】
2020006118.tif 000006
【図５】
2020006118.tif 000007
【図６】
2020006118.tif 000008
【図７】
2020006118.tif 000009